(57)【要約】【課題】  画像が定着された記録紙を排紙する際に記録紙から蒸発するキャリア蒸気を捕集して，キャリア蒸気が装置の外部へ漏れるのを防止する。【解決手段】  排紙ユニット４０を，所定の画像が定着された記録紙Ｐの排出をガイドする排紙ガイド５０と，排紙ガイド５０を囲んで設けられて排紙ガイド５０に沿って搬送される記録紙Ｐから蒸発するキャリア蒸気を捕集するキャリア蒸気捕集ケース６０と，を含んで構成した。また，キャリア浄化装置は，所定の画像が形成された記録紙Ｐの排出をガイドし，排出される記録紙から蒸発するキャリア蒸気を捕集するキャリア蒸気捕集ケース６０を備えた排紙ユニット４０と，キャリア蒸気捕集ケース６０に捕集されたキャリア蒸気を所定の方向に排出させるファン８０と，ファン８０により排出されるキャリア蒸気を酸化処理する触媒ユニット９０と，を含んで構成した。【選択図】    図３
2005182035.tif 000002
【特許請求の範囲】
【請求項１】
所定の画像が定着された記録紙の排出をガイドする排紙ガイドと，
前記排紙ガイドを囲んで設けられ，前記排紙ガイドに沿って搬送される記録紙から蒸発するキャリア蒸気を捕集するキャリア蒸気捕集ケースと，
を含むことを特徴とする湿式画像形成装置の排紙ユニット。
【請求項２】
前記排紙ガイドは，
前記キャリア蒸気捕集ケースの内部に入口と出口を有する記録紙搬送路を形成し，
前記キャリア蒸気捕集ケースの内部に相互に所定の距離だけ離隔されて対向配置される第１のガイド部材及び第２のガイド部材を備えることを特徴とする請求項１に記載の湿式画像形成装置の排紙ユニット。
【請求項３】
前記キャリア蒸気捕集ケース内部の，前記記録紙搬送路の出口近傍に配設されて，前記記録紙搬送路に進入した記録紙を搬送する複数の排紙ローラを更に含むことを特徴とする請求項２に記載の湿式画像形成装置の排紙ユニット。
【請求項４】
前記第１ガイド部材及び第２ガイド部材には，キャリアを円滑に蒸発させる開口部がそれぞれ形成されることを特徴とする請求項２又は３のいずれか一項に記載の湿式画像形成装置の排紙ユニット。
【請求項５】
前記キャリア蒸気捕集ケースは，
突き合わされて結合されることにより内部に所定の空間を形成する上部ハウジング及び下部ハウジングを含み，
前記上部ハウジングには，前記記録紙搬送経路に沿って搬送される記録紙の両側部に対応する２つの側面のうちの一側面に，前記空間に捕集されたキャリア蒸気を排出させる排出口が形成されることを特徴とする請求項１〜４のいずれか一項に記載の湿式画像形成装置の排紙ユニット。
【請求項６】
前記上部ハウジングには，
前記排出口が形成された一側面とは反対側の側面に，前記排出口からのキャリア蒸気の排出を容易にする空気導入口が形成されることを特徴とする請求項５に記載の湿式画像形成装置の排紙ユニット。
【請求項７】
所定の画像が形成された記録紙の排出をガイドし，排出される記録紙から蒸発するキャリア蒸気を捕集するキャリア蒸気捕集ケースを備えた排紙ユニットと，
前記キャリア蒸気捕集ケースに捕集されたキャリア蒸気を所定の方向に排出させるファンと，
前記ファンにより排出されるキャリア蒸気を酸化処理する触媒ユニットと，
を含むことを特徴とする湿式画像形成装置のキャリア浄化装置。
【請求項８】
前記排紙ユニットは，
前記キャリア蒸気捕集ケースの内部に入口と出口を有する記録紙搬送路を形成し，前記キャリア蒸気捕集ケースの内部に相互に所定の距離だけ離隔されて対向配置される第１のガイド部材及び第２のガイド部材を有する排紙ガイドを含むことを特徴とする請求項７に記載の湿式画像形成装置のキャリア浄化装置。
【請求項９】
前記排紙ユニットは，
前記キャリア蒸気捕集ケース内部の，前記記録紙搬送路の出口近傍に配設されて，前記記録紙搬送路に進入した記録紙を搬送する複数の排紙ローラを更に含むことを特徴とする請求項８に記載の湿式画像形成装置のキャリア浄化装置。
【請求項１０】
前記第１ガイド部材及び第２ガイド部材には，キャリアを円滑に蒸発させる開口部がそれぞれ形成されることを特徴とする請求項８又は９のいずれか一項に記載の湿式画像形成装置のキャリア浄化装置。
【請求項１１】
前記キャリア蒸気捕集ケースは，
突き合わされて結合されることにより内部に所定の空間を形成する上部ハウジング及び下部ハウジングを含み，
前記上部ハウジングには，
前記記録紙搬送経路に沿って搬送される記録紙の両側部に対応する両側面のうちの一側面に，前記空間に捕集されたキャリア蒸気を排出させる排出口が形成され，
前記排出口には前記ファンが装着されることを特徴とする請求項７〜１０のいずれか一項に記載の湿式画像形成装置のキャリア浄化装置。
【請求項１２】
前記上部ハウジングには，
前記排出口が形成された一側面とは反対側の側面に，前記排出口からのキャリア蒸気の排出を容易にする空気導入口が形成されることを特徴とする請求項１１に記載の湿式画像形成装置のキャリア浄化装置。
【発明の詳細な説明】
【技術分野】
【０００１】
本発明は，湿式画像形成装置の排紙ユニット及びこれを備えたキャリア浄化装置にかかり，さらに詳しくは，排紙時における記録紙から蒸発するキャリア蒸気が外へと漏れないようにした部分に特徴のある湿式画像形成装置の排紙ユニット及びこれを備えたキャリア浄化装置に関する。
【背景技術】
【０００２】
一般に，カラーレーザープリンタのような湿式電子写真方式の画像形成装置では，現像剤として，トナーとキャリア溶液とが所定の割合で混合された液体現像剤を使用する。このようなキャリア溶液を含む液体現像剤は，現像ローラーにて感光体にトナー画像を現像する過程及び感光体に形成されたトナー画像を転写ベルトにて転写する過程で，その大半が現像剤貯蔵部に回収される。一方，液体現像剤の一部は，画像を形成する際に液体現像剤に印加される熱や，画像形成装置内で発生する熱などによって気化されてキャリア蒸気となる。このようなキャリア蒸気は画像形成装置の内部を浮遊し，また画像形成装置の外部に漏れ出す場合もある。
【０００３】
しかし，キャリア溶液は，一般的に揮発性の有機化合物からなり，蒸気となったキャリアは，臭気を伴なうので周辺環境を汚染し，また大量に吸入すれば人体に悪影響を及ぼす恐れもある。更にキャリア蒸気は白色で目視されるため，装置の外部へ漏れると，装置の商品価値を大きく落としかねることにもなる。したがって，キャリア蒸気は装置の外部へと漏れないようにするのが望ましい。実際に，かかるキャリア蒸気の装置外部への漏れは，画像形成装置の規格として定められている場合もある。
【０００４】
このようなキャリア蒸気が画像形成装置の外部へと漏れるのを防止する従来の技術として，転写ベルトから離隔した位置に吸引口を開口した第１の吸引ダクトと，転写ベルトの下流端部に近接した位置に吸引口を開口した第２の吸引ダクトとを設け，該両ダクトに各々配設された第１及び第２の換気ファンにより機内に浮遊するトナーを効果的に捕集することができる換気装置を備えたものがある（例えば，特許文献１参照。）。かかる換気装置によれば，転写ベルトと定着装置との間に浮遊するトナーは効率的に捕集することができる。
【０００５】
一方，上記転写過程では，トナーが電気泳動によってキャリア溶液中を移動することにより，転写ベ
ルトなどから記録紙へと画像が転写されるので，キャリア溶液の一部分は記録紙のトナー画像中に残留したままとなる。そして，かかるトナー画像を加熱によって記録紙に定着させる際には，上記トナー画像中に残留した液体キャリアが気化して，キャリア蒸気が発生する。
【０００６】
そのため，一般の湿式画像形成装置では，定着過程で発生する白色のキャリア蒸気を収集して酸化させることにより，定着部で発生するキャリア蒸気がそのまま画像形成装置の外へと漏れないようにしている。また，収集したキャリア蒸気を液化させて回収する方法や，活性炭などの吸着材に吸着させて回収する方法なども知られている。
【０００７】
一方，定着器によって画像が定着された記録紙は，排紙ユニットに搬送され，該排紙ユニットを通過して最終的に画像形成装置の外部に排出される。この時，上記記録紙には，定着器から印加された熱が残存しており，また，定着過程でキャリアが完全に蒸発しきっていないため，記録紙が排紙ユニット内を搬送される際にもキャリア蒸気が持続的に発生することになる。
【０００８】
しかし，一般の湿式画像形成装置は，排紙ユニットから発生するキャリア蒸気を処理するための如何なる構造及び装置も備えていない場合が殆どである。従来の画像形成装置には，定着器と排紙ユニットとの間に送風手段を設けたものがある（例えば，特許文献２参照。）。かかる送風手段は，記録紙が排紙トレイへと搬送される経路上に，記録紙の表面と裏面の各々の面に空気を送風するものであり，画像が定着された記録紙を乾燥させることにより，排紙トレイに重ねて排紙される記録紙が互いに融着するのを防止することを目的としている。
【０００９】
【特許文献１】特開平８−１８５１１０号公報
【特許文献２】米国特許第６，２５９，８７１号明細書
【発明の開示】
【発明が解決しようとする課題】
【００１０】
したがって，画像形成装置に上記のような送風手段を備えても，キャリアの蒸発を促すことにはなるものの，白色のキャリア蒸気はそのまま装置の外部へと漏れてしまい，上述した画像形成装置規格を満たしていないのが実情であった。
【００１１】
そこで，本発明は，このような問題に鑑みてなされたもので，その目的とするところは，画像が定着された記録紙を排紙する際に記録紙から蒸発するキャリア蒸気を捕集して，キャリア蒸気が装置の外部へ漏れるのを防止することができる湿式画像形成装置の排紙ユニット及びこれを備えたキャリア浄化装置を提供することにある。
【課題を解決するための手段】
【００１２】
上記課題を解決するために，本発明のある観点によれば，所定の画像が定着された記録紙の排出をガイドする排紙ガイドと，上記排紙ガイドを囲んで設けられ，上記排紙ガイドに沿って搬送される記録紙から蒸発するキャリア蒸気を捕集するキャリア蒸気捕集ケースと，を含むことを特徴とする湿式画像形成装置の排紙ユニットが提供される。
【００１３】
このような本発明にかかる湿式画像形成装置の排紙ユニットによれば，上記排紙ガイドに沿って搬送される記録紙から蒸発するキャリア蒸気をキャリア蒸気捕集ケース内に捕獲することができるので，画像形成装置の外部にキャリア蒸気が流出するのを防止することができる。すなわち，定着過程では，液体現像剤によって記録紙に形成された画像からはキャリアが完全に蒸発しきっていない。また，かかる記録紙が上記排紙ユニットに搬送されてくるときには，該記録紙には定着器によって印加された熱が残っており，この熱が潜熱となって記録紙に残存している液体キャリアを気化させてキャリア蒸気を発生させている。本発明にかかる湿式画像形成装置の排紙ユニットには，このようなキャリア蒸気を捕集して画像形成装置の外部に漏れないようにすることができる。
【００１４】
このとき，上記排紙ガイドは，上記キャリア蒸気捕集ケースの内部に入口と出口を有する記録紙搬送路を形成し，上記キャリア蒸気捕集ケースの内部に相互に所定の距離だけ離隔されて対向配置される第１のガイド部材及び第２のガイド部材を備えるように構成されるのがよい。
【００１５】
また，上記排紙ユニットは，上記キャリア蒸気捕集ケース内部の，上記記録紙搬送路の出口近傍に配設されて，上記記録紙搬送路に進入した記録紙を搬送する複数の排紙ローラを更に含んでもよい。
【００１６】
そして，上記排紙ガイドの第１ガイド部材及び第２ガイド部材には，キャリアを円滑に蒸発させる開口部がそれぞれ形成されるのがよい。
【００１７】
また，上記キャリア蒸気捕集ケースは，突き合わされて結合されることにより内部に所定の空間を形成する上部ハウジング及び下部ハウジングを含み，上記上部ハウジングには，上記記録紙搬送経路に沿って搬送される記録紙の両側部に対応する２つの側面のうちの一側面に，上記空間に捕集されたキャリア蒸気を排出させる排出口が形成されるようにするのがよい。そして更に，上記上部ハウジングには，上記排出口が形成された一側面とは反対側の側面に，上記排出口からのキャリア蒸気の排出を容易にする空気導入口が形成されるのがよい。
【００１８】
上記課題を解決するために，本発明の別の観点によれば，所定の画像が形成された記録紙の排出をガイドし，排出される記録紙から蒸発するキャリア蒸気を捕集するキャリア蒸気捕集ケースを備えた排紙ユニットと，上記キャリア蒸気捕集ケースに捕集されたキャリア蒸気を所定の方向に排出させるファンと，上記ファンにより排出されるキャリア蒸気を酸化処理する触媒ユニットと，を含むことを特徴とする湿式画像形成装置のキャリア浄化装置が提供される。
【００１９】
このような本発明にかかる湿式画像形成装置のキャリア浄化装置によれば，上記排紙ガイドに沿って搬送される記録紙から蒸発するキャリア蒸気をキャリア蒸気捕集ケース内に捕集し，捕集されたキャリア蒸気はファンによりキャリア蒸気捕集ケースの外へと所定の方向に導かれる。キャリア蒸気捕集ケースの外へと導かれたキャリア蒸気は，例えばダクトなどにより上記触媒ユニットへと導かれて酸化処理されてから画像形成装置の外部に排出される。このようなキャリア浄化装置を備えた画像形成装置は，排出されるキャリア蒸気が脱臭されており，人体へ悪影響を及ぼすこともないので，キャリア蒸気に関する画像形成装置規格を満たすことができる。
【００２０】
このとき，上記排紙ユニットは，上記キャリア蒸気捕集ケースの内部に入口と出口を有する記録紙搬送路を形成し，上記キャリア蒸気捕集ケースの内部に相互に所定の距離だけ離隔されて対向配置される第１のガイド部材及び第２のガイド部材を有する排紙ガイドを含むように構成されるのがよい。
【００２１】
また，上記排紙ユニットは，上記キャリア蒸気捕集ケース内部の，上記記録紙搬送路の出口近傍に配設されて，上記記録紙搬送路に進入した記録紙を搬送する複数の排紙ローラを更に含んでもよい。
【００２２】
また，上記排紙ガイドの第１ガイド部材及び第２ガイド部材には，キャリアを円滑に蒸発させる開口部がそれぞれ形成されるのがよい。
【００２３】
また，上記キャリア蒸気捕集ケースは，突き合わされて結合されることにより内部に所定の空間を形成する上部ハウジング及び下部ハウジングを含み，上記上部ハウジングには，上記記録紙搬送経路に沿って搬送される記録紙の両側部に対応する両側面のうちの一側面に，上記空間に捕集されたキャリア蒸気を排出させる排出口が形成され，上記排出口には上記ファンが装着されるように構成するのがよい。
【００２４】
そして更に，上記上部ハウジングには，上記排出口が形成された一側面とは反対側の側面に，上記排出口からのキャリア蒸気の排出を容易にする空気導入口が形成されるようにしてもよい。
【発明の効果】
【００２５】
本発明によれば，画像が定着された記録紙の排出をガイドする排紙ガイドを囲むようにキャリア蒸気捕集ケースを設け，上記排紙ガイドに沿って搬送される記録紙から蒸発するキャリア蒸気が上記キャリア蒸気捕集ケース内に捕集されるようにすることにより，キャリア蒸気が画像形成装置の外部に漏れるのを防止することができる湿式画像形成装置の排紙ユニット及びこれを備えたキャリア浄化装置を提供できるものである。これにより，キャリア蒸気の装置外部への漏れに関する画像形成装置の規格を満たすこともできるようになる。
【発明を実施するための最良の形態】
【００２６】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２７】
先ず，本発明の実施の形態にかかる排紙ユニットが適用された湿式画像形成装置の全体の構成について説明する。図１は，本実施形態にかかる排紙ユニットが適用された湿式画像形成装置の概略構成を示す図である。本実施形態にかかる湿式画像形成装置は，現像ユニット１０と，転写ユニット２０と，定着ユニット３０と，排紙ユニット４０とを含んで構成される。
【００２８】
現像ユニット１０は，各色相別に感光ドラム１１と現像ローラ１２とを備える。転写ユニット２０は，転写ベルト２１及び転写ローラ２２とを含んで構成される。転写ベルト２１は，複数のアイドルローラ２３に巻き掛けられて張設され，各色相別の感光ドラム１１が転写ベルト２１と当接するように配設される。
【００２９】
定着ユニット３０は，相互に接触するように対向配置される一対の定着ローラ３１，３２を含んで構成される。また，排紙ユニット４０は，排紙ガイド５０とキャリア蒸気捕集ケース６０を含んで構成される。
【００３０】
上記のような湿式画像形成装置では，先ず，それぞれの感光ドラム１１に形成された静電潜像が，対応する現像ローラ１２から現像液を供給されてトナー画像に現像される。このようにして現像された画像は，転写ベルト２１に転写される。転写ベルト２１に転写された画像は，転写ベルト２１と転写ローラ２２との間から供給される記録紙Ｐに転写される。記録紙Ｐに転写された画像は，記録紙が定着ローラ３１，３２の間を搬送される際に加熱されることにより記録紙に固着（定着）される。このようにして画像が定着された記録紙Ｐは，最終的に排紙ユニット４０によって画像形成装置の外部に排出される。
【００３１】
このような印刷過程において，定着ユニット３０及び排紙ユニット４０では，記録紙に印加される高熱及び潜熱等により記録紙からキャリアが蒸発してキャリア蒸気が発生する。ここで，定着ユニット３０から発生するキャリア蒸気は，従来の技術による既存の構造によって処理可能である。一方，排紙ユニット４０から発生するキャリア蒸気は，本実施形態による構造が採用された排紙ユニット及びこれを用いたキャリア浄化装置により処理することができる。したがって，かかる排紙ユニット及びこれを用いたキャリア浄化装置を備えた画像形成装置においては，印刷時に発生するキャリア蒸気がそのまま装置の外へ漏れることはない。
【００３２】
次に，本発明の実施の形態にかかる湿式画像形成装置の排紙ユニットについて説明する。図２は，本実施形態にかかる湿式画像形成装置の排紙ユニットの分解斜視図であり，図３は組立斜視図である。また，図４は，図３のＶ−Ｖ線断面図である。
【００３３】
本実施形態にかかる排紙ユニット４０は，図２〜図４に示すように，排紙ガイド５０とキャリア蒸気捕集ケース６０を含んで構成される。排紙ガイド５０は，画像形成装置の外部へと排出される記録紙Ｐの排出をガイドする。キャリア蒸気捕集ケース６０は，排紙ガイド５０を支えると共に，排紙ガイド５０を通過する記録紙の潜熱により記録紙から蒸発するキャリア蒸気が外へと漏れないように捕集する。
【００３４】
排紙ガイド５０は，キャリア蒸気捕集ケース６０の内部に相互に所定の距離だけ離隔されて対向配置される第１のガイド部材及び第２のガイド部材を備える。第１のガイド部材と第２のガイド部材との間に形成される空間が記録紙搬送路５１となる。このような第１のガイド部材及び第２のガイド部材によって形成される所定の形状の記録紙搬送路５１は，入口５１ａと出口５１ｂを有する。第１のガイド部材５２及び第２のガイド部材５３には，それぞれ，キャリアが円滑に蒸発されるようにする開口部が，複数のガイドリブ５２ａ，５３ａにより区画されて形成される。
【００３５】
キャリア蒸気捕集ケース６０は，突き合わされて結合されることにより内部に所定の空間を形成する上部ハウジング６１及び下部ハウジング６２を含んで構成される。上部ハウジング６１の一側面には，上記空間に捕集されたキャリア蒸気を排出させるための排出口６３が形成される。そして，排出口６３の反対側の面には，排出口６３からのキャリア蒸気の排出を容易にすべく，空気流を導くための空気導入口６４（図３参照）が形成される。すなわち，記録紙搬送路５１に沿って搬送される記録紙Ｐの両側部に対応する上部ハウジング６１の側面には，一方の側面に排出口６３が形成され，もう一方の側面に空気導入口６４が形成される。
【００３６】
また，排紙ユニット４０は，記録紙搬送路５１に沿って搬送される記録紙Ｐに搬送力を与える上排紙ローラ７１及び下排紙ローラ７２を備える。上排紙ローラ７１及び下排紙ローラ７２は，キャリア蒸気捕集ケース６０内の記録紙搬送路５１の出口５１ｂの近傍に設けられる。記録紙Ｐは，定着ローラ３１，３２により記録紙搬送路５１に進入して搬送され，その先端が上排紙ローラ７１と下排紙ローラ７２との間に進入することにより更に先へと搬送される。
【００３７】
上記のようにして排紙ユニット４０へ搬送されてくる記録紙Ｐは，従来技術においても述べたように，定着ユニット３０ではキャリアが完全に蒸発しきっておらず，また，定着ユニット３０から印加された熱を一部もっており依然加熱された状態にある。したがって，排紙ユニット４０内を搬送されている最中にも，記録紙Ｐに残留したキャリアが蒸気として発生する。しかし，排紙ユニット４０内で発生したキャリア蒸気は，従来のようにそのまま外へと漏れることはなく，キャリア蒸気捕集ケース６０に捕集され，後述するキャリア浄化装置により処理される。
【００３８】
次に，本発明の実施の形態にかかる湿式画像形成装置の排紙ユニットを備えたキャリア浄化装置について説明する。図５は，上記のような排紙ユニット４０を用いたキャリア浄化装置の概略構成を示す図である。
【００３９】
本実施形態にかかるキャリア浄化装置は，排出される記録紙Ｐをガイドすると共に記録紙Ｐから発生するキャリア蒸気を捕集する機能を有する排紙ユニット４０と，排紙ユニット４０内に捕集されたキャリア蒸気を一方向に排出させるファン８０と，ファン８０により排出されるキャリア蒸気を酸化させる触媒ユニット９０と，を含んで構成される。
【００４０】
ファン８０は，排紙ユニット４０を構成するキャリア蒸気捕集ケース６０の排出口６３に装着され，キャリア蒸気捕集ケース６０の内部空間に捕集されたキャリア蒸気を吸込し排出する。触媒ユニット９０は，ファン８０とダクト（具体的に図示せず）などを介して連結される。排紙ユニット４０については，前で詳述したため，その具体的な説明は省略する。
【００４１】
上記のようにして，排紙ユニット４０でキャリアが蒸発することによって発生した有害な揮発性有機化合物は，ファン８０によりキャリア蒸気捕集ケース６０から吸引されてダクトなどを介して触媒ユニット９０に収集される。一般的に，触媒ユニット９０は酸化触媒フィルタを備え，該酸化触媒フィルタを通過するキャリア蒸気を二酸化炭素と水とに分解することができる。このようにして分解処理されたキャリア蒸気は，臭いもなく，環境を汚染することもなく，キャリア蒸気の装置外部への漏れに関する画像形成装置の規格を満たすこともできる。
【００４２】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００４３】
例えば，本実施形態においては，キャリア蒸気捕集ケース６０の一側面にファン８０を設けて，かかるファン８０によってキャリア蒸気捕集ケース６０内のキャリア蒸気を吸引する構成としたが，ファン８０はキャリア蒸気捕集ケース６０内のキャリア蒸気をキャリア蒸気捕集ケース６０の反対側の側面へと押し出すように空気を送風する構成としてもよい。この場合，キャリア蒸気捕集ケース６０のファン８０が設けられた側面と対向する側面にはキャリア蒸気が流出する出口が設けられ，該出口はダクトなどを介して触媒ユニット９０と連結されるように構成するのがよい。
【００４４】
なお，本発明の実施の形態で例示したキャリア浄化装置では，排紙ユニットにて捕集したキャリア蒸気は，キャリア蒸気を酸化処理する触媒ユニットによって処理されるが，必ずしもこれに限定されるものではなく，他の従来の方法によってキャリア蒸気を処理するように構成してもよい。例えば，吸引補集されたキャリア蒸気を液化する液化装置によってキャリア蒸気を処理するようにしてもよい。あるいは，キャリア蒸気を活性炭などの吸着材を含んだフィルタに吸着させて回収するようにしてもよい。
【００４５】
また，本実施形態においては，各色相ごとに感光ドラムと現像器を備えたタンデム方式（シングルパス方式）の画像形成装置について説明したが，必ずしもこれに限定されるものではなく，１つの感光ドラムと転写ベルトまたは転写ドラムを用いて各色相を順に現像する４サイクル方式の画像形成装置にも適用可能である。
【産業上の利用可能性】
【００４６】
本発明は，トナー粒子及び液体キャリアを含む液体現像剤を用いて画像を現像する複写機，ファクシミリ，プリンター，複合機などの湿式画像形成装置に適用可能であり，特にキャリア蒸気に含まれる有害物質や臭気のもととなる物質を処理するキャリア浄化装置を備えた湿式画像形成装置に適用可能である。
【図面の簡単な説明】
【００４７】
【図１】本発明の実施の形態にかかる排紙ユニットが適用された湿式画像形成装置の概略構成を示す図である。
【図２】同実施の形態における排紙ユニットの構造を示す分解斜視図である。
【図３】同実施の形態における排紙ユニットの構造を示す組立斜視図である。
【図４】図３のＶ−Ｖ線断面図である。
【図５】本発明の実施の形態にかかるキャリア浄化装置の構成を概略的に示す図である。
【符号の説明】
【００４８】
１０      現像ユニット
１１      感光ドラム
１２      現像ローラ
２０      転写ユニット
３０      定着ユニット
４０      排紙ユニット
５０      排紙ガイド
５１      記録紙搬送路
５２      第１ガイド部材
５３      第２ガイド部材
６０      キャリア蒸気捕集ケース
６１      上部ハウジング
６２      下部ハウジング
６３      排出口
６４      空気導入口
７１，７２  排紙ローラ
８０      ファン
９０      触媒ユニット
【図１】
2005182035.tif 000003
【図２】
2005182035.tif 000004
【図３】
2005182035.tif 000005
【図４】
2005182035.tif 000006
【図５】
2005182035.tif 000007